【手続補正書】
【提出日】平成17年4月22日(2005.4.22)
【手続補正１】
【補正対象書類名】明細書
【補正対象項目名】発明の名称
【補正方法】変更
【補正の内容】
【発明の名称】符号化方法及び装置、復号方法及び装置、並びにプログラム
【手続補正２】
【補正対象書類名】明細書
【補正対象項目名】特許請求の範囲
【補正方法】変更
【補正の内容】
【特許請求の範囲】
【請求項１】
所定単位毎に１つの符号列表を用いてディジタル信号を符号化する符号化方法において、
予め符号列表群毎に分けられた複数のグループから、上記ディジタル信号の性質に応じて１つのグループを選択する選択工程と、
上記選択工程にて選択されたグループの上記符号列表群の中から１つの符号列表を決定する決定工程と、
上記決定工程にて決定された上記符号列表を用いて上記ディジタル信号を符号化する符号化工程と
を有することを特徴とする符号化方法。
【請求項２】
上記選択工程では、上記ディジタル信号のトーナリティに応じて上記グループが選択されることを特徴とする請求項１記載の符号化方法。
【請求項３】
上記符号化工程では、上記選択工程にて選択されたグループを示すインデックスがさらに符号化されることを特徴とする請求項１記載の符号化方法。
【請求項４】
所定単位毎に１つの符号列表を用いてディジタル信号を符号化する符号化方法において、
符号列表群に含まれる選択可能な符号列表の数を設定する設定工程と、
上記符号列表群の中から１つの上記符号列表を選択する選択工程と、
上記選択工程にて選択された符号列表を用いて上記ディジタル信号を符号化する符号化工程と
を有することを特徴とする符号化方法。
【請求項５】
上記符号化工程では、上記設定工程にて設定された上記選択可能な符号列表の数がさらに符号化されることを特徴とする請求項４記載の符号化方法。
【請求項６】
上記設定工程では、所定の設定用信号に基づいて上記選択可能な符号列表の数が設定されることを特徴とする請求項４記載の符号化方法。
【請求項７】
所定単位毎に１つの符号列表を用いてディジタル信号を符号化する符号化装置において、
予め符号列表群毎に分けられた複数のグループから、上記ディジタル信号の性質に応じて１つのグループを選択する選択手段と、
上記選択手段によって選択されたグループの上記符号列表群の中から１つの符号列表を決定する決定手段と、
上記決定手段によって決定された上記符号列表を用いて上記ディジタル信号を符号化する符号化手段と
を備えることを特徴とする符号化装置。
【請求項８】
所定単位毎に１つの符号列表を用いてディジタル信号を符号化する符号化装置において、
符号列表群に含まれる選択可能な符号列表の数を設定する設定手段と、
上記符号列表群の中から１つの上記符号列表を選択する選択手段と、
上記選択手段によって選択された符号列表を用いて上記ディジタル信号を符号化する符号化手段と
を備えることを特徴とする符号化装置。
【請求項９】
所定単位毎に１つの符号列表を用いてディジタル信号を符号化する符号化処理をコンピュータに実行させるプログラムにおいて、
予め符号列表群毎に分けられた複数のグループから、上記ディジタル信号の性質に応じて１つのグループを選択する選択工程と、
上記選択工程にて選択されたグループの上記符号列表群の中から１つの符号列表を決定する決定工程と、
上記決定工程にて決定された上記符号列表を用いて上記ディジタル信号を符号化する符号化工程と
を有することを特徴とするプログラム。
【請求項１０】
所定単位毎に１つの符号列表を用いてディジタル信号を符号化する符号化処理をコンピュータに実行させるプログラムにおいて、
符号列表群に含まれる選択可能な符号列表の数を設定する設定工程と、
上記符号列表群の中から１つの上記符号列表を選択する選択工程と、
上記選択工程にて選択された符号列表を用いて上記ディジタル信号を符号化する符号化工程と
を有することを特徴とするプログラム。
【請求項１１】
所定単位毎に１つの符号列表を用いて符号化されたディジタル信号を復号する復号方法において、
予め符号列表群毎に分けられた複数のグループから、使用する１つのグループを選択する選択工程と、
上記選択工程にて選択されたグループの符号列表の中から使用する１つの符号列表を決定する決定工程と、
上記決定工程にて決定された符号列表を用いて上記ディジタル信号を復号する復号工程と
を有することを特徴とする復号方法。
【請求項１２】
上記選択工程では、上記符号化の際に上記ディジタル信号のトーナリティに応じて選択されたグループと同じグループが選択されることを特徴とする請求項１１記載の復号方法。
【請求項１３】
上記選択工程では、使用したグループを示すインデックスに基づいて上記グループが選択されることを特徴とする請求項１１記載の復号方法。
【請求項１４】
所定単位毎に１つの符号列表を用いて符号化されたディジタル信号を復号する復号方法において、
符号列表群に含まれる符号列表の数を設定する設定工程と、
上記符号列表群の中から１つの上記符号列表を選択する選択工程と、
上記選択工程にて選択された上記符号列表に基づいて上記ディジタル信号を復号する復号工程と
を有することを特徴とする復号方法。
【請求項１５】
上記設定工程では、上記ディジタル信号と共に符号化された上記符号列表の数に基づいて、上記符号列表の数が設定されることを特徴とする請求項１４記載の復号方法。
【請求項１６】
所定単位毎に１つの符号列表を用いて符号化されたディジタル信号を復号する復号装置において、
予め符号列表群毎に分けられた複数のグループから、使用する１つのグループを選択する選択手段と、
上記選択手段によって選択されたグループの符号列表の中から使用する１つの符号列表を決定する決定手段と、
上記決定手段によって決定された符号列表を用いて上記ディジタル信号を復号する復号手段と
を備えることを特徴とする復号装置。
【請求項１７】
所定単位毎に１つの符号列表を用いて符号化されたディジタル信号を復号する復号装置において、
符号列表群に含まれる符号列表の数を設定する設定手段と、
上記符号列表群の中から１つの上記符号列表を選択する選択手段と、
上記選択手段によって選択された上記符号列表に基づいて上記ディジタル信号を復号する復号工程と
を備えることを特徴とする復号装置。
【請求項１８】
所定単位毎に１つの符号列表を用いて符号化されたディジタル信号を復号する復号処理をコンピュータに実行させるプログラムにおいて、
予め符号列表群毎に分けられた複数のグループから、使用する１つのグループを選択する選択工程と、
上記選択工程にて選択されたグループの符号列表の中から使用する１つの符号列表を決定する決定工程と、
上記決定工程にて決定された符号列表を用いて上記ディジタル信号を復号する復号工程と
を有することを特徴とするプログラム。
【請求項１９】
所定単位毎に１つの符号列表を用いて符号化されたディジタル信号を復号する復号処理をコンピュータに実行させるプログラムにおいて、
符号列表群に含まれる符号列表の数を設定する設定工程と、
上記符号列表群の中から１つの上記符号列表を選択する選択工程と、
上記選択工程にて選択された上記符号列表に基づいて上記ディジタル信号を復号する復号工程と
を有することを特徴とするプログラム。
【手続補正３】
【補正対象書類名】明細書
【補正対象項目名】０００１
【補正方法】変更
【補正の内容】
【０００１】
【発明の属する技術分野】
本発明は、符号化方法及び装置、復号方法及び装置、並びにプログラムに関し、特に、音響信号や音声信号等のディジタルデータを高能率符号化して伝送し、又は記録媒体に記録する符号化方法及びその装置、符号化データを受信し、又は再生して復号する復号方法及びその装置、並びに符号化処理又は復号処理をコンピュータに実行させるプログラムに関する。
【手続補正４】
【補正対象書類名】明細書
【補正対象項目名】００２９
【補正方法】変更
【補正の内容】
【００２９】
本発明は、このような従来の実情に鑑みて提案されたものであり、圧縮率を落とすことなく、様々な入力信号に対して信号の性質に応じた最適な符号列表を選択可能とする符号化方法及びその装置、符号化データを受信し、又は再生して復号する復号方法及びその装置、並びに符号化処理又は復号処理をコンピュータに実行させるプログラムを提供することを目的とする。
【手続補正５】
【補正対象書類名】明細書
【補正対象項目名】００３６
【補正方法】変更
【補正の内容】
【００３６】
また、本発明に係るプログラムは、上述した符号化処理又は復号処理をコンピュータに実行させるものである。
【手続補正６】
【補正対象書類名】明細書
【補正対象項目名】００９６
【補正方法】変更
【補正の内容】
【００９６】
また、本発明に係るプログラムは、上述した符号化処理又は復号処理をコンピュータに実行させるものである。
【手続補正７】
【補正対象書類名】明細書
【補正対象項目名】００９７
【補正方法】変更
【補正の内容】
【００９７】
このようなプログラムによれば、上述した符号化処理又は復号処理をソフトウェアにより実現することができる。